(57)【要約】【課題】  デジタルテレビ信号の受信状況が悪化しても引き続きデジタルテレビ放送の音声の聴取を可能とする移動体用デジタルテレビ放送受信装置を提供すること。【解決手段】  移動体用デジタルテレビ放送受信装置１０の制御回路１１は、ハイビジョン用信号の受信状況を判定する。すなわち、受信電界強度データが所定の受信電界強度よりも大きく、かつ、誤り率データが所定の誤り率よりも小さければ、引き続きハイビジョン信号を受信し続ける。一方、受信電界強度データが所定の受信電界強度よりも小さい、または、誤り率データが所定の誤り率よりも大きければ、自動的に携帯電話用音声信号を受信信号に切り替える。これにより、ハイビジョン信号を受信できない状況であっても、自動的に携帯電話用音声信号が受信されることにより、ユーザは、引き続き、ハイビジョン放送と同一内容の音声を聴取することができる。【選択図】  図４
2005244531.tif 000002
【特許請求の範囲】
【請求項１】
移動体に搭載されて、放送局から送信された地上波デジタルテレビ信号を受信し、同受信した地上波デジタルテレビ信号に基づいてデジタルテレビ放送を視聴可能に出力する移動体用デジタルテレビ放送受信装置において、
前記放送局から送信された高画質用の地上波デジタルテレビ信号と低画質用の地上波デジタルテレビ信号とを受信する地上波デジタルテレビ信号受信手段と、
前記地上波デジタルテレビ信号受信手段によって受信した高画質用の地上波デジタルテレビ信号の受信状況を判定する受信状況判定手段と、
前記受信状況判定手段によって前記高画質用の地上波デジタルテレビ信号の受信状況が悪化したと判定すると、前記地上波デジタルテレビ信号受信手段により受信する信号を前記低画質用の地上波デジタルテレビ信号のうちの音声信号に切り替える受信信号切替手段とを備えたことを特徴とする移動体用デジタルテレビ放送受信装置。
【請求項２】
前記高画質用の地上波デジタルテレビ信号はハイビジョン放送を視聴するための信号であり、前記低画質用の地上波デジタルテレビ信号は携帯端末によってデジタルテレビ放送を視聴するための信号である請求項１に記載した移動体用デジタルテレビ放送受信装置。
【請求項３】
前記受信状況判定手段を、
前記放送局から送信された高画質用の地上波デジタルテレビ信号の受信強度を測定する受信強度判定手段と、
前記放送局から送信された高画質用の地上波デジタルテレビ信号の誤り率を測定する誤り率測定手段とから構成した請求項１または請求項２に記載した移動体用デジタルテレビ放送受信装置。
【請求項４】
前記移動体は、車両である請求項１ないし請求項３のうちのいずれか一つに記載した移動体用デジタルテレビ放送受信装置。
【発明の詳細な説明】
【技術分野】
【０００１】
本発明は、車両等の移動体においてデジタルテレビ放送、特に、地上波デジタルテレビ放送を受信するための移動体用デジタルテレビ放送受信装置に関する。
【背景技術】
【０００２】
従来から、走行中の車内でアナログ方式のテレビ放送を視聴する場合に、受信したテレビ放送電波の強弱に従ってテレビ放送画面が見にくくなるなどの不満があった。このため、画質の良いデジタルテレビ放送、特に、ハイビジョン放送を走行中の車内で視聴したいという強い要求があった。
【０００３】
この要求に対し、例えば、下記特許文献１に示すように、車両に搭載されてデジタル放送の受信を可能とする移動体用デジタル放送受信装置は知られている。この移動体用デジタル放送受信装置は、制御回路とフロントエンド部とＯＦＤＭ復調部とを主体として構成されている。そして、フロントエンド部およびＯＦＤＭ復調部の検出値に基づいて、受信電界強度を測定するとともに誤り率を測定する。制御回路は、この測定した受信電界強度と誤り率とに基づいてチャンネルの有無を判定する。そして、制御回路は、このチャンネルにて放送局情報を取得するとともに、同放送局情報と車両の現在位置とから受信可能なチャンネルを絞り込む。このように、制御回路は、受信可能なチャンネルを絞り込むと、これらのチャンネルにて実際に受信できるか否かを調査し、受信できたチャンネルをプリセットチャンネルとして自動的に設定するようになっている。そして、ユーザは、プリセットされたチャンネルを選択することにより、デジタル放送を視聴できるようになっている。
【０００４】
また、従来から、下記特許文献２に示すように、位置の移動に拘わらずデジタル放送を受信できるデジタル地上波テレビジョン放送受信機も知られている。この従来の受信機は、車両に搭載されていて、入力装置からサーチ受信が指示されると、現在位置において受信可能な全放送波が順次サーチ受信される。また、受信機は、自車両の現在位置をＧＰＳ衛星信号に基づき検出する。そして、受信機はサーチ受信した各放送波の情報と自車両の現在位置情報とを互いに関連付けてメモリに記憶する。このとき、受信機は、サーチ受信した各放送波に含まれているチャンネル番号情報を取得するとともに、同チャンネル番号情報も各放送波の情報および自車両の現在位置情報に関連付けてメモリに記憶する。この状態において、入力装置から地域表示指示がなされたときは、メモリを検索することにより、現在位置にて受信可能な複数の放送波の情報と各放送波内のチャンネル情報とを取得し、表示装置に表示するようになっている。これにより、ユーザは、表示されたチャンネル情報を選択することにより、希望する放送番組を視聴できるようになっている。
【０００５】
しかしながら、一般的に、移動体（車両）が移動している場合においては、デジタルテレビ放送であっても、デジタルテレビ放送電波（信号）の受信状況が刻一刻と変化する。このため、現在位置にてデジタルテレビ放送（ハイビジョン放送）が受信可能であっても、移動に伴い受信強度が低下してデジタルテレビ放送電波（信号）が受信できなくなる場合がある。この場合、ユーザにとっては、視聴していたデジタルテレビ放送（ハイビジョン放送）が全く視聴できなくなり、不都合である。
【０００６】
【特許文献１】特開２００３−２７３７５９号公報
【特許文献２】特開２００３−１２５３０３号公報
【発明の開示】
【０００７】
本発明は、上記した課題を解決するためになされたものであり、その目的は、デジタルテレビ信号の受信状況が悪化しても引き続きデジタルテレビ放送の音声の聴取を可能とする移動体用デジタルテレビ放送受信装置を提供することにある。
【０００８】
本発明の特徴は、移動体に搭載されて、放送局から送信された地上波デジタルテレビ信号を受信し、同受信した地上波デジタルテレビ信号に基づいてデジタルテレビ放送を視聴可能に出力する移動体用デジタルテレビ放送受信装置において、前記放送局から送信された高画質用の地上波デジタルテレビ信号と低画質用の地上波デジタルテレビ信号とを受信する地上波デジタルテレビ信号受信手段と、前記地上波デジタルテレビ信号受信手段によって受信した高画質用の地上波デジタルテレビ信号の受信状況を判定する受信状況判定手段と、前記受信状況判定手段によって前記高画質用の地上波デジタルテレビ信号の受信状況が悪化したと判定すると、前記地上波デジタルテレビ信号受信手段により受信する信号を前記低画質用の地上波デジタルテレビ信号のうちの音声信号に切り替える受信信号切替手段とを備えたことにある。
【０００９】
この場合、前記高画質用の地上波デジタルテレビ信号はハイビジョン放送を視聴するための信号であり、前記低画質用の地上波デジタルテレビ信号は携帯端末によってデジタルテレビ放送を視聴するための信号であるとよい。また、前記受信状況判定手段を、前記放送局から送信された高画質用の地上波デジタルテレビ信号の受信強度を測定する受信強度判定手段と、前記放送局から送信された高画質用の地上波デジタルテレビ信号の誤り率を測定する誤り率測定手段とから構成するとよい。さらに、前記移動体は、車両であるとよい。
【００１０】
これらによれば、移動体用デジタルテレビ放送受信装置は、地上波デジタルテレビ信号受信手段によって、前記高画質用の地上波デジタルテレビ信号と低画質用の地上波デジタルテレビ信号とを受信することができる。このとき、高画質用の地上波デジタルテレビ信号はハイビジョン放送を視聴するための信号であり、低画質用の地上波デジタルテレビ信号は携帯端末によってデジタルテレビ放送を視聴するための信号とすることができる。そして、ユーザがハイビジョン放送を視聴している場合において、受信状況判定手段によって、高画質用の地上波デジタルテレビ信号の受信状況が悪化したと判定されると、受信信号切替手段が自動的に受信信号を低画質用の地上波デジタルテレビ信号のうちの音声信号に切り替える。ここで、低画質用の地上波デジタルテレビ信号は携帯端末によってデジタルテレビ放送を視聴するための信号であるため、高画質用の地上波デジタルテレビ信号に比して、送信する情報量が少なく受信可能な領域が広くなり受信しやすくできる。
【００１１】
これにより、高画質用の地上波デジタルテレビ信号を受信不能な状況であっても、自動的に低画質用の地上波デジタルテレビ信号の音声信号を受信するように受信信号を切り替えることにより、ユーザは、これまで視聴していたハイビジョン放送の音声を引き続き聴取することができる。したがって、ユーザは、ハイビジョン放送の内容を確認することができて好適である。
【００１２】
また、受信状況判定手段を、放送局から送信された高画質用の地上波デジタルテレビ信号の受信強度を測定する受信強度判定手段と、放送局から送信された高画質用の地上波デジタルテレビ信号の誤り率を測定する誤り率測定手段とから構成することにより、信号の受信可否を簡単かつ正確に判定することができる。これによっても、ユーザにとっては、視聴していたデジタルテレビ放送の音声を途切れることなく聴取できて好適である。
【００１３】
さらに、低画質用の地上波デジタルテレビ信号の受信可能領域が広いことに基づき、移動体用デジタルテレビ放送受信装置を以下のように構成することも可能である。すなわち、移動体に搭載されて、放送局から送信された地上波デジタルテレビ信号を受信し、同受信した地上波デジタルテレビ信号に基づいてデジタルテレビ放送を視聴可能に出力する移動体用デジタルテレビ放送受信装置において、前記放送局から送信された高画質用の地上波デジタルテレビ信号と低画質用の地上波デジタルテレビ信号とを受信する地上波デジタルテレビ信号受信手段と、前記地上波デジタルテレビ信号受信手段によって受信した高画質用の地上波デジタルテレビ信号のうちの映像信号に基づいて映像を出力するとともに、低画質用の地上波デジタルテレビ信号のうちの音声信号に基づいて音声を出力する出力手段とから構成することも可能である。
【００１４】
これによれば、高画質用の地上波デジタルテレビ信号を良好に受信可能であれば、同信号に基づく映像を出力するとともに、低画質用の地上波デジタルテレビ信号に基づく音声を出力することにより、ユーザはハイビジョン放送を視聴することができる。一方で、高画質用の地上波デジタルテレビ信号を受信不能な状況であっても、低画質用の地上波デジタルテレビ信号が受信可能であれば、ユーザはこれまで視聴していたハイビジョン放送の音声を引き続き聴取することができる。したがって、ユーザは、ハイビジョン放送の内容を確認することができて好適である。また、この場合、高画質の地上波デジタルテレビ信号の受信状況を判定する必要がなく、移動体用デジタルテレビ放送受信装置の構成を簡略化することができ、例えば、製造コストを低減することができて好適である。
【発明を実施するための最良の形態】
【００１５】
以下に、本発明の一実施形態を図面を用いて説明する。図１は、移動体としての車両（例えば、乗用車やバスなど）に搭載された本発明に係る移動体用デジタルテレビ放送受信装置１０（以下、受信装置１０という）と、同受信装置１０に対して地上波デジタルテレビ信号を送信する放送局の送信所２０とを概略的に示している。
【００１６】
受信装置１０は、図２に示すように、制御回路１１を備えている。制御回路１１は、ＣＰＵ、ＲＯＭ、ＲＡＭなどからなるマイクロコンピュータを主要構成部品とするもので、各種プログラムの実行により受信装置１０の作動を統括的に制御するものである。そして、制御回路１１には、フロントエンド部１２、ＯＦＤＭ復調部１３、ＭＰＥＧデコード部１４および映像・音声出力部１５が接続されている。
【００１７】
フロントエンド部１２は、送信所２０から地上波デジタルテレビ信号を受信するためのアンテナ１２ａを備えており、制御回路１１からのチャンネル指示信号に基づいて所定のチャンネルに設定し、映像信号、音声信号およびデータ信号を含む地上波デジタルテレビ信号を受信する。
【００１８】
ここで、地上波デジタルテレビ信号について、簡単に説明しておく。地上波デジタルテレビ信号は、図３に示すように、チャンネル帯域幅（６．０ＭＨｚ）に対して伝送帯域を５．５７２ＭＨｚとし、同伝送帯域内が１３個のセグメントに分割されている。これらのセグメントは複数の階層を構成しており、各階層の符号化率やキャリア変調の伝送パラメータは各階層ごとに個別に設定される。そして、放送局は、各階層から構成される複数のＴＳ(Transport Stream)を多重化器で１本のＴＳにまとめて同時に送信する。これにより、地上波デジタルテレビ信号は、複数の番組を同一帯域内で異なるビットレートや誤り耐性で伝送できるようになっている。
【００１９】
このため、地上波デジタルテレビ信号においては、高画質なデジタルテレビ放送を視聴するための地上波デジタルテレビ信号（以下、ハイビジョン用信号という）を、例えば、図３のセグメントＮｏ．１〜Ｎｏ．１２に割り当てることができる。また、移動体としての携帯電話（携帯端末）で視聴可能な低画質用の地上波デジタルテレビ信号（以下、携帯電話用信号という）を、例えば、図３のセグメントＮｏ．０に割り当てることができる。そして、このようにセグメントを割り当てて階層を構成することによって、これらの信号（ＴＳ）を同時に送信することができる。
【００２０】
このように、送信所２０から複数の信号（ＴＳ）が送信されるため、フロントエンド部１２は、地上デジタルテレビ信号の受信に際し、ハイビジョン用信号（すなわちセグメントＮｏ．１〜Ｎｏ．１２）、または、携帯電話用信号（すなわちセグメントＮｏ．０）を選択して、受信できるようになっている。そして、フロントエンド部１２は、アンテナ１２ａを介して受信した地上波デジタルテレビ信号を中間周波数における信号（ＯＦＤＭ変調信号）に変換（ダウンコンバート）し、同変換した信号を接続された誤り率測定手段としてのＯＦＤＭ復調部１３に供給する。
【００２１】
ＯＦＤＭ復調部１３は、制御回路１１の制御信号に基づいて、フロントエンド部１２から供給されたＯＦＤＭ変調信号をＯＦＤＭ復調および誤り訂正（例えば、ビタビ復号とリードソロモン復号など）してＭＰＥＧ２−ＴＳ(MPEG2 Transport Stream)信号を生成し、生成したＭＰＥＧ２−ＴＳ信号をＭＰＥＧデコード部１４に供給する。また、ＯＦＤＭ復調部１３は、出力レベルを自動的に一定に保つＡＧＣ(Automatic Gain Control)回路を有して構成されており、このＡＧＣ回路により増幅される際の増幅度に基づくＡＧＣ電圧を検出して制御回路１１に供給する。これにより、制御回路１１は、供給されたＡＧＣ電圧に基づいて、地上波デジタルテレビ信号、特に、ハイビジョン用信号を受信するときの受信電界強度（以下、受信電界強度データという）を測定するようになっている。さらに、ＯＦＤＭ復調部１３は、制御回路１１の制御信号に基づいて、受信した地上波デジタルテレビ信号、特に、ハイビジョン用信号の誤り率を測定し、同誤り率を表す誤り率データ（Bit Error Rate）を制御回路１１に供給する。
【００２２】
ＭＰＥＧデコード部１４は、制御回路１１の制御信号に基づいて、ＯＦＤＭ復調部１３から供給されたＭＰＥＧ２−ＴＳ信号をデコードし、映像信号と音声信号とに分離する。そして、ＭＰＥＧデコード部１４は、分離した映像信号と音声信号を映像・音声出力部１５に供給する。映像・音声出力部１５は、表示器やスピーカなどで構成されていて、制御回路１１からの制御信号や供給された映像信号および音声信号に基づいて映像および音声を外部に出力するようになっている。
【００２３】
次に、上記のように構成した受信装置１０の作動について説明する。受信装置１０の制御回路１１は、ユーザによって図示しない入力装置（例えば、チャンネル指示ボタンなど）から希望するデジタルテレビ放送のチャンネルが指定されると、フロントエンド部１２に対して、指定されたチャンネルの地上波デジタルテレビ信号を受信するように制御信号を供給する。フロントエンド部１２は、同制御信号に基づいて、ユーザが希望するチャンネルの地上波デジタルテレビ信号を選択してアンテナ１２ａを介して受信するとともにＲＦ増幅する。そして、増幅したハイビジョン用信号を中間周波数における信号（ＯＦＤＭ変調信号）にダウンコンバートし、ＯＦＤＭ復調部１３に供給する。
【００２４】
ＯＦＤＭ復調部１３においては、供給されたＯＦＤＭ変調信号をＯＦＤＭ復調する。すなわち、ＯＦＤＭ復調部１３は、フロントエンド部１２から供給されたＯＦＤＭ変調信号をＡ／Ｄ変換した後、ハイビジョン用信号（図３のセグメントＮｏ．１〜Ｎｏ．１２）を選択してＯＦＤＭ復調するとともに誤り訂正する。そして、ＯＦＤＭ復調部１３は、ＭＰＥＧ２−ＴＳ信号を生成してＭＰＥＧデコード部１４に供給する。ＭＰＥＧデコード部１４は、供給されたＭＰＥＧ２−ＴＳ信号をデコードして映像信号と音声信号とに分離し、映像・音声出力部１５に供給する。これにより、ユーザは、図示しない表示器およびスピーカを介して、高画質のハイビジョン放送を視聴することができる。
【００２５】
一方で、受信装置１０の制御回路１１は、フロントエンド部１２によって受信されるハイビジョン用信号の受信電界強度および誤り率に応じて、受信する信号をハイビジョン用信号から携帯電話用信号のうちの音声信号（以下、携帯電話用音声信号という）へ切り替える地上波デジタルテレビ信号受信切替プログラムを繰り返し実行する。以下、この地上波デジタルテレビ信号受信切替プログラムを図４を用いて詳細に説明する。
【００２６】
この地上波デジタルテレビ信号受信切替プログラムは、図４に示すように、ステップＳ１０にてその実行が開始され、続くステップＳ１１にて、制御回路１１は、所定の変調パラメータを読み出す。具体的に説明すると、制御回路１１は、予め図示省略のＲＯＭに記憶された所定の変調パラメータとして、例えば、キャリア変調方式（例えば、６４ＱＡＭ、１６ＱＡＭ、ＱＰＳＫ、ＤＱＰＳＫ方式）、ガードインターバル長、フレーム長、内符号（例えば、畳み込み符号）などを読み出す。そして、制御回路１１は、所定の変調パラメータを読み出すと、ステップＳ１２に進む。
【００２７】
ステップＳ１２においては、制御回路１１は、フロントエンド部１２にて受信したハイビジョン用信号に該当する変調パラメータに対する所定の受信電界強度および所定の誤り率を読み込む。ここで、所定の受信電界強度および所定の誤り率は、共にハイビジョン用信号を良好に受信するために必要な基準を表す値であり、予め図示省略のＲＯＭ内に記憶されている。そして、制御回路１１は、所定の受信電界強度および所定の誤り率を読み込むと、ステップＳ１３に進む。
【００２８】
ステップＳ１３においては、制御回路１１は、現在、ハイビジョン用信号を良好に受信できるか否かを判定する。この判定処理を具体的に説明する。制御回路１１は、ＯＦＤＭ復調部１３から供給されたＡＧＣ電圧および誤り率データを取得し、同取得したＡＧＣ電圧に基づいて受信電界強度データを測定する。そして、制御回路１１は、同測定した受信電界強度データと前記ステップＳ１２にて読み込んだ所定の受信電界強度とを比較する。また、制御回路１１は、取得した誤り率データと前記ステップＳ１２にて読み込んだ所定の誤り率とを比較する。
【００２９】
この比較により、受信電界強度データが所定の受信電界強度よりも大きく、かつ、誤り率データが所定の誤り率よりも小さければ、良好な受信状態を確保しているため、制御回路１１は「Ｙｅｓ」と判定して、ステップＳ１４に進む。ステップＳ１４においては、制御回路１１は、引き続きハイビジョン用信号を受信し、ユーザが高画質のハイビジョン放送を視聴できるようにする。すなわち、制御回路１１は、フロントエンド部１２に対して、引き続きハイビジョン用信号と携帯電話用信号を有する信号を受信させて、同信号をＯＦＤＭ変調信号にダウンコンバートさせる。そして、制御回路１１は、ＯＦＤＭ復調部１３に対して、ダウンコンバートされたＯＦＤＭ変調信号のうちのハイビジョン用信号のみをＯＦＤＭ復調させるとともに誤り訂正させ、ＭＰＥＧ２−ＴＳ信号を生成させる。さらに、制御回路１１は、ＭＰＥＧデコード部１４に対して、ＭＰＥＧ２−ＴＳ信号をデコードさせるとともに、映像・音声出力部１５に対して、映像信号および音声信号に基づいて映像および音声を出力するように指示する。これにより、ユーザは、高画質のハイビジョン放送を視聴することができる。そして、制御回路１１は、ステップＳ１６にて、地上波デジタルテレビ信号切替プログラムの実行を一旦終了する。
【００３０】
一方、前記ステップＳ１３にて、受信電界強度データが所定の受信電界強度よりも小さい、または、誤り率データが所定の誤り率よりも大きければ、ハイビジョン用信号を良好に受信できない。このため、制御回路１１は、ハイビジョン用信号の受信から携帯電話用音声信号の受信に切り替えるために、ステップＳ１３にて「Ｎｏ」と判定してステップＳ１５に進む。ステップＳ１５においては、制御回路１１は、携帯電話用音声信号を受信するようにＯＦＤＭ復調部１３に対して制御信号を供給して復調すべき信号を切り替える。このように、受信信号を携帯電話用音声信号に切り替えることにより、高画質のハイビジョン放送が良好に受信できない状況であっても、ユーザは、音声のみではあるものの引き続きハイビジョン放送と同一内容の音声を聴取することができる。以下、この携帯電話用音声信号について説明する。
【００３１】
この携帯電話用音声信号は、携帯電話（携帯端末）によって地上波デジタルテレビ放送の音声を聴取するための地上波デジタルテレビ信号である。このため、携帯電話用音声信号は、移動中であっても良好にデジタルテレビ放送の音声を聴取できるように、その搬送波電力対雑音電力比（Ｃ／Ｎ比）がハイビジョン用信号よりも小さく設定されている。すなわち、ハイビジョン信号の場合、例えば、キャリア変調方式として６４ＱＡＭ(Quadrature Amplitude Modulation：直交振幅変調)、符号化率（畳み込み）として７／８が採用される。一方、携帯電話用音声信号の場合、例えば、キャリア変調方式としてＱＰＳＫ(Quadrature Phase Shift Keying：四位相偏移変調)、符号化率（畳み込み）として１／２が採用される。このときのＣ／Ｎ比を周知の方法によって計算すると、ハイビジョン用信号は２２ｄＢとなり携帯電話用音声信号は４．９ｄＢとなる。
【００３２】
これは、携帯電話用音声信号のＣ／Ｎ比がハイビジョン用信号のＣ／Ｎ比に比して２２−４．９＝１７．１ｄＢ小さくても、携帯電話用音声信号を良好に受信可能であることを示している。これにより、移動中であっても携帯電話用音声信号を良好に受信することができ、ユーザは地上波デジタルテレビ放送の音声を聴取することができる。また、このＣ／Ｎ比の差は、携帯電話用音声信号の送信電力が、ハイビジョン用信号の送信電力の約５０倍に相当するため、信号を受信するためのアンテナ１２ａが同一であれば、携帯電話用音声信号の方が格段に広い範囲で視聴可能となる。このため、ハイビジョン用信号を良好に受信できない地域であっても、携帯電話用音声信号を良好に受信できる可能性が大きくなる。
【００３３】
したがって、ステップＳ１５にて、制御回路１１は、携帯電話用音声信号を受信するように受信信号を切り替えることにより、ユーザが音声のみではあるものの引き続きハイビジョン放送と同一内容の音声の聴取を可能とする。すなわち、制御回路１１は、フロントエンド部１２に対して、携帯電話用信号とハイビジョン用信号を受信させて、同信号をダウンコンバートさせる。そして、制御回路１１は、ＯＦＤＭ復調部１３に対して、ダウンコンバートされたＯＦＤＭ変調信号のうち、携帯電話用音声信号を含む携帯電話用信号のみをＯＦＤＭ復調させるとともに誤り訂正させ、ＴＳ信号を生成させる。さらに、制御回路１１は、ＭＰＥＧデコード部１４に対して、ＴＳ信号をデコードさせて音声信号、すなわち、携帯電話用音声信号に基づく音声信号を取り出すとともに、映像・音声出力部１５に対して、デコードされた音声信号に基づいて音声を出力するように指示する。これにより、ユーザは、音声のみではあるものの引き続きハイビジョン放送と同一内容の音声を聴取することができる。そして、制御回路１１は、前記ステップＳ１５の受信信号切替処理後、ステップＳ１６に進み、地上波デジタルテレビ信号切替プログラムの実行を一旦終了する。
【００３４】
以上の説明からも理解できるように、本実施形態によれば、現在受信している地上波デジタルテレビ信号のうちハイビジョン用信号を受信している場合において、制御回路１１は、同ハイビジョン用信号の受信電界強度および誤り率が悪化すると、受信信号を携帯電話用音声信号に切り替えることができる。これにより、車両がハイビジョン用信号を受信不能な地域に存在している場合であっても、自動的に携帯電話用音声信号を受信するように受信信号を切り替えることにより、ユーザは、ハイビジョン放送と同一内容の音声を聴取することができる。したがって、ユーザは、出力された音声によって、引き続きハイビジョン放送の内容を聴取することができて好適である。
【００３５】
また、ハイビジョン用信号の受信状況を受信電界強度および誤り率とに基づいて判定することにより、ハイビジョン用信号の受信可否を簡単かつ正確に判定することができる。これによっても、ユーザにとっては、視聴していたハイビジョン放送の音声を途切れることなく引き続き視聴できて好適である。
【００３６】
さらに、本発明の目的を逸脱しない限り、種々の変形が可能であることはいうまでもない。例えば、上記実施形態においては、受信電界強度と誤り率とに基づいて、ハイビジョン用信号の受信良否を判定するように実施したが、受信電界強度と誤り率の一方に基づいてハイビジョン用信号の受信良否を判定するように実施することも可能である。この場合には、受信装置１０の構成を簡略化することができて製造コストを低減することができるとともに、上記実施形態と同様の効果を得ることができる。
【００３７】
また、例えば、上記実施形態においては、受信電界強度と誤り率とに基づいて、ハイビジョン用信号の受信良否を判定するように実施したが、この受信良否判定を省略して実施することも可能である。すなわち、上述したように、携帯電話用音声信号の受信電界強度は、ハイビジョン用信号に比して小さくても、良好に信号を受信することが可能である。
【００３８】
このため、フロントエンド部１２によってハイビジョン用信号および携帯電話用信号を受信してダウンコンバートし、ＯＦＤＭ復調部１３によってダウンコンバートされた信号をＯＦＤＭ復調するとともに誤り訂正してＴＳ信号を生成し、ＭＰＥＧデコード部１４によってＴＳ信号をデコードしてハイビジョン用信号に基づく映像信号と携帯電話用信号のうちの携帯電話用音声信号に基づく音声信号を分離し、映像・音声出力部１５によって映像および音声を出力するように受信装置１０を構成することも可能である。
【００３９】
このように受信装置１０を構成することによって、ハイビジョン用信号の受信良否に関わらず、常に携帯電話用音声信号を受信して音声出力することができ、ユーザは、出力された音声によって、引き続きハイビジョン放送の内容を聴取することができて好適である。さらに、この場合には、ハイビジョン用信号の受信状況を判定する必要がなく、受信装置１０の構成を簡略化することができ、例えば、製造コストを低減することができて好適である。
【図面の簡単な説明】
【００４０】
【図１】本発明に係り、車両に搭載された受信装置と送信所とを示す概略図である。
【図２】図１の受信装置の構成を概略的に示すブロック図である。
【図３】地上波デジタルテレビ信号を説明するための図である。
【図４】図２の制御回路によって実行される地上波デジタルテレビ信号受信切替プログラムのフローチャートである。
【符号の説明】
【００４１】
１０…移動体用デジタルテレビ放送受信装置、１１…制御回路、１２…フロントエンド部、１２ａ…アンテナ、１３…ＯＦＤＭ復調部、１４…ＭＰＥＧデコード部、１５…映像・音声出力部
【図１】
2005244531.tif 000003
【図２】
2005244531.tif 000004
【図３】
2005244531.tif 000005
【図４】
2005244531.tif 000006